(57)【要約】【課題】人間（飼主）の遺骨と愛玩動物の遺骨とを容易に納骨室に収納することができ、かつ、地震などの大きな揺れによる墓石の抜け落ちや倒壊を防止することができる墓を提供する。【解決手段】四方を囲周する胴石の内側に遺骨を収納するための納骨室を備え、該納骨室の上方に墓石が配された墓において、納骨室を、間仕切り板によって、愛玩動物の遺骨を収納するための第１納骨スペースと人間の遺骨を収納するための第２納骨スペースとに区分し、かつ、第１納骨スペースと納骨室の外部とを連通する第１納骨口と、第２納骨スペースと前記納骨室の外部とを連通する第２納骨口とを設けた。【選択図】図４
2008025135.tif 000002
【特許請求の範囲】
【請求項１】
四方を囲周する胴石の内側に遺骨を収納するための納骨室を備え、該納骨室の上方に墓石が配された墓であって、
前記納骨室は、間仕切り板によって、愛玩動物の遺骨を収納するための第１納骨スペースと人間の遺骨を収納するための第２納骨スペースとに区分され、かつ、前記第１納骨スペースと前記納骨室の外部とを連通する第１納骨口と、前記第２納骨スペースと前記納骨室の外部とを連通する第２納骨口とを備えることを特徴とする墓。
【請求項２】
前記第１納骨口は、前記胴石の前面部を切欠いて形成され、かつ、前記第１納骨口の入口は、蓋部材によって閉鎖されている請求項１に記載の墓。
【請求項３】
前記第２納骨口は、前記墓石の一部を貫通して形成され、かつ、前記第２納骨口の入口は、前記墓石の前面に設けられた香炉部によって閉鎖されている請求項１または２に記載の墓。
【請求項４】
前記第１納骨スペースは、前記愛玩動物の遺骨が収容される骨壷を固定するための固定板を底面上に備え、かつ、
前記固定板は、前記骨壷の底部と嵌合するように形成された複数の凹部を上面に有する請求項１ないし３のいずれかに記載の墓。
【請求項５】
前記墓石は、前記納骨室の上部に配された下台部と、該下台部の上に載置された上台部と、該上台部の上に載置された竿台部とからなり、
前記下台部の上面中央部に形成された下底孔と、前記竿台部の下面中央部に形成された上底孔と、前記上台部の中央部の上面から下面まで貫通して形成された貫通孔とからなる空洞内に、前記下台部、前記上台部および前記竿台部を連結固定する１本の芯棒が嵌挿された請求項１ないし４のいずれかに記載の墓。
【請求項６】
前記竿台部の前記上底孔は、前記芯棒が少なくとも前記竿台部の高さの３分の１まで嵌挿されるように形成された請求項５に記載の墓。
【請求項７】
前記上台部は、ホゾ凸部を上面中央部に備え、かつ、
前記竿台部は、前記ホゾ凸部と嵌合するホゾ凹部を下面中央部に備えた請求項５または６に記載の墓。
【請求項８】
前記胴石と前記納骨室の側壁とは、耐震用Ｌ字金具によって接合固定されている請求項１ないし７のいずれかに記載の墓。
【発明の詳細な説明】
【技術分野】
【０００１】
本発明は、墓に関するものであり、より詳細には、耐震構造を有するとともに、人間の遺骨と愛玩動物の遺骨とを納骨できるように改良された共同墓に関する。
【背景技術】
【０００２】
従来、愛玩動物（ペット）の埋葬としては、人間の墓と同様に、火葬した後に遺骨を骨壷に入れ、土中に埋葬し、地上に墓石を設置する手法が多かった。ところが、近年、愛玩動物（ペット）の増加に伴って、愛玩動物の遺骨を自分の墓に埋葬したいという飼主が急増している。宗教によっては、人間と動物とを同一の墓に納骨することを嫌う場合もあるが、本人の死後、長年一緒に暮らしてきた愛玩動物が身近に埋葬されていることを望む飼主は少なくない。
【０００３】
そこで、墓地の区画内において、人間と愛玩動物との遺骨を、一つの墓に埋葬する、あるいは、それぞれ別個に墓を設けて埋葬するようにした人間と動物との共同墓が、例えば特許文献１に開示されている。
【０００４】
【特許文献１】特開２００３−１２９６９５号公報
【発明の開示】
【発明が解決しようとする課題】
【０００５】
しかしながら、上記特許文献１では、人間の墓の周囲に愛玩動物の墓を設けたものが開示されているが、実際の墓地の区画では設置スペースに限界があり、人間用の墓とは別に愛玩動物用の墓の設置スペースを確保するのは困難であった。
【０００６】
また、上記特許文献１では、人間と愛玩動物との遺骨を一つの墓に埋葬するようにしたものも開示されているが、この墓構造では、人間および愛玩動物の遺骨を納骨スペースに納める際には、納骨スペースの上部に設けられ、比較的質量の大きい石材からなる納骨口蓋部材を取り外す作業が必要であった。一般に、愛玩動物の寿命は、人間よりも短いため、愛玩動物の遺骨を納骨する頻度は、人間の遺骨の納骨より比較的高いが、上記特許文献１の墓構造では、愛玩動物の遺骨のみを納骨する場合であっても、人間の遺骨を納骨する際に要する作業と同様の労力を要するため、非力な者が一人で納骨作業を行うのは困難であった。
【０００７】
さらに、同じ墓に納骨される家族内または子孫間で愛玩動物に対する意識が異なる場合、すなわち、ペットと一緒に納骨されたい者とペットとは別に納骨されたい者とが存在する場合があるが、上記特許文献１のように、同じ納骨スペース（カロート）内に愛玩動物の遺骨と人間の遺骨とを納骨する構造は、両者（特に後者）の条件に適うものではなかった。
【０００８】
また、この種の墓では、愛玩動物を納骨するためのスペースを確保するために、納骨室を通常のものよりも広くする必要性が生じるため、人間の遺骨のみを納骨する墓よりも耐震性が低下する虞があった。したがって、このような人間と愛玩動物との共同墓では、耐震性に優れた墓石構造が求められるが、上述したような従来の共同墓では、このような耐震構造は施されていなかった。
【０００９】
そこで、本発明は、上記事情に鑑みてなされたものであり、その目的とするところは、人間（飼主）の遺骨と愛玩動物の遺骨とを容易に納骨室に収納することができ、かつ、地震などの大きな揺れによる墓石の抜け落ちや倒壊を防止することができる墓を提供することにある。
【課題を解決するための手段】
【００１０】
本発明の上記目的は、四方を囲周する胴石の内側に遺骨を収納するための納骨室を備え、該納骨室の上方に墓石が配された墓において、前記納骨室が、間仕切り板によって、愛玩動物の遺骨を収納するための第１納骨スペースと人間の遺骨を収納するための第２納骨スペースとに区分され、かつ、前記第１納骨スペースと前記納骨室の外部とを連通する第１納骨口と、前記第２納骨スペースと前記納骨室の外部とを連通する第２納骨口とを備えることにより、達成される。
【００１１】
また、上記目的は、前記第１納骨口が、前記胴石の前面部を切欠いて形成され、かつ、前記第１納骨口の入口は、蓋部材によって閉鎖されていることにより、効果的に達成される。
【００１２】
また、上記目的は、前記第２納骨口が、前記墓石の一部を貫通して形成され、かつ、前記第２納骨口の入口は、前記墓石の前面に設けられた香炉部によって閉鎖されていることにより、効果的に達成される。
【００１３】
また、上記目的は、前記第１納骨スペースが、前記愛玩動物の遺骨が収容される骨壷を固定するための固定板を底面上に備え、かつ、前記固定板は、前記骨壷の底部と嵌合するように形成された複数の凹部を上面に有することにより、達成される。
【００１４】
また、上記目的は、前記墓石が、前記納骨室の上部に配された下台部と、該下台部の上に載置された上台部と、該上台部の上に載置された竿台部とからなり、前記下台部の上面中央部に形成された下底孔と、前記竿台部の下面中央部に形成された上底孔と、前記上台部の中央部の上面から下面まで貫通して形成された貫通孔とからなる空洞内に、前記下台部、前記上台部および前記竿台部を連結固定する１本の芯棒が嵌挿されたことにより、効果的に達成される。
【００１５】
また、上記目的は、前記竿台部の前記上底孔が、前記芯棒が少なくとも前記竿台部の高さの３分の１まで嵌挿されるように形成されたことにより、効果的に達成される。
【００１６】
また、上記目的は、前記上台部が、ホゾ凸部を上面中央部に備え、かつ、前記竿台部が、前記ホゾ凸部と嵌合するホゾ凹部を下面中央部に備えたことにより、効果的に達成される。
【００１７】
さらに、上記目的は、前記胴石と前記納骨室の側壁とが、耐震用Ｌ字金具によって接合固定されていることにより、効果的に達成される。
【発明の効果】
【００１８】
本発明に係る墓によると、遺骨を収納するための納骨室を愛玩動物用の第１納骨室と人間用の第２納骨室とに区分し、それぞれの納骨室に連通する第１および第２納骨口を設けた。これにより、愛玩動物と一緒に埋葬される側面と、愛玩動物とは別に埋葬される側面とを有するので、同じ墓に納骨される家族内または子孫間で愛玩動物に対する意識が異なる場合であっても、両者の条件を適えることができる。
【００１９】
また、愛玩動物の遺骨（骨壷）の搬入経路である第１納骨口が、外部から遺骨を搬入し易い部位である胴石の前面部に形成されているので、愛玩動物の納骨作業を簡易化することができる。
【００２０】
また、愛玩動物用の第１納骨室の底面上に、愛玩動物用の骨壷の底部と嵌合する複数の凹部が上面に形成されている固定板を設けた。これにより、人間用の骨壷よりも軽量であるため、転倒する虞がある愛玩動物用の骨壷を安定させることができる。
【００２１】
さらに、本発明に係る墓では、墓石および納骨室に耐震構造が施されているので、愛玩動物を納骨するためのスペースを確保するために、納骨室を通常のものよりも広くしても、高い耐震性を維持することができる。
【発明を実施するための最良の形態】
【００２２】
以下、図面を参照にしながら、本発明の実施形態について説明する。
【００２３】
図１は、本実施形態に係る墓の外観を示す概略斜視図であり、図２は、本実施形態に係る墓の納骨室を示す斜視図である。
【００２４】
墓１は、四方を囲周するように配された胴石２の内側に、遺骨（骨壷）を収納するための納骨室３を備え、該納骨室３の上方には墓石４が配されている。
【００２５】
墓石４は、納骨室３の上方に配された下台部５と、該下台部５の上に載置された上台部６と、該上台部６の上に載置された竿台部７とから構成され、上台部６の前面および下台部５の上面に近接する位置に、香炉部８が設けられている。
【００２６】
また、墓１の正面に左右に並んで据え付けられた袖部９の上には、埋葬される愛玩動物用の石碑１０が配されている。この石碑１０は、埋葬される愛玩動物に応じて、例えば図３に示すように、犬小屋をモチーフにした石碑１０ａ、あるいはその愛玩動物を立体的に造形した石像１０ｂなどに適宜変更可能である。さらに、袖部９の内部は、遺品などを収納する収納スペース９Ａになっており、愛玩動物の遺骨を納骨室３内に収納しきれない場合には、この収納スペースを用いることも可能である。
【００２７】
図４は、本実施形態に係る墓の要部断面図であり、図５は、本実施形態に係る墓の納骨室を示す上面図であり、かつ、図６は、図４中のVI−VI線に沿った断面矢視図である。また、図７（ａ）は、本実施形態に係る墓の墓石の竿台部と上台部の展開図であり、図７（ｂ）は、その竿台部の下面を示す斜視図である。
【００２８】
本実施形態に係る納骨室３は、図４に示すように、間仕切り板１１によって、愛玩動物の遺骨を収納するための第１納骨スペース３Ａと、人間の遺骨を収納するための第２納骨スペース３Ｂとに区分されている。間仕切り板１１は、納骨室３の側壁１２，１２の表面に形成された凹溝１３，１３（図２参照）に、嵌め込まれて固定される。すなわち、納骨室３は、必要に応じて間仕切り板１１の取り付け／取り外しが可能な構造になっている。
【００２９】
第１納骨スペース３Ａは、前方側（図４左側）に配された胴石２の中央部を切欠いて形成された第１納骨口１４Ａを介して、外部と連通しており、この第１納骨口１４Ａの入口は、蓋部材１５によって閉鎖されている。したがって、愛玩動物の遺骨を収納する際には、蓋部材１５を取り外して、第１納骨口１４Ａから第１納骨スペース３Ａに遺骨を納めるようになっている。
【００３０】
また、第１納骨スペース３Ａの底面上には、愛玩動物の遺骨が収容される略直方体形状の骨壷１６を固定するための固定板１７が設けられている。この固定板１７は、骨壷１６の底部と嵌合する複数の凹部１７ａを上面に備え、該複数の凹部１７ａの底面には、雨水等が溜まらないよう水抜き孔１７ｂが形成されている。
【００３１】
第２納骨スペース３Ｂは、下台部５および上台部６の一部を貫通して形成された第２納骨口１４Ｂを介して、外部と連通しており、この第２納骨口１４Ｂの入口は、香炉部８によって閉鎖されている。したがって、人間の遺骨を収納する際には、香炉台８を手前側（図４左側）にスライドさせて、第２納骨口１４Ｂから第２納骨スペース３Ｂに遺骨を納めるようになっている。
【００３２】
また、墓石４を構成する下台部５の上面中央部には、下に底を有する下底孔５ａが形成され、竿台部７の下面中央部には、上に底を有する上底孔７ａが形成され、かつ、上台部６の中央部には、上面から下面まで貫通している貫通孔６ａが形成されている。そして、下底孔５ａと、貫通孔６ａと、上底孔７ａとからなる空洞には、１本の芯棒１８が嵌挿されており、該芯棒１８によって、下台部５と、上台部６と、竿台部７とが一体に連結固定されるようになっている。この芯棒１８は、耐久性に優れ、錆び難い素材であるステンレスや真ちゅうなどの素材からなるものである。
【００３３】
ここで、墓石４のうち最も倒壊の可能性が高い竿石部７が抜け落ちたりしないように、竿台部７の上底孔７ａは、竿台部７の高さｈの３分の１以上の深さｄ（ｄ≧ｈ／３）を有し、芯棒１８が少なくとも竿台部７の高さｈの３分の１まで嵌挿されるようになっている。
【００３４】
また、図７に示すように、上台部６の上面中央部には、ホゾ凸部６ｂが形成され、かつ、竿台部７の下面中央部には、このホゾ凸部６ｂに嵌合するホゾ凹部７ｂが形成されている。このホゾ凸部６ｂとホゾ凹部７ｂとの嵌合により、地震などの揺れに因る竿台部７のズレを防止している。
【００３５】
また、図４に示すように、下台部５の下面には、両側部中央付近に芯棒１８ｂが嵌挿され、該芯棒１８ｂの突出部が、納骨室３の側壁１２，１２の上面中央付近に形成された下底孔１２ｂ，１２ｂ（図５参照）に嵌挿されることにより、下台部５と納骨室３の両側壁１２，１２との連結が強化されている。さらに、墓石４の後方（図４右側）に配された背面外柵１９の下面両端部にも、芯棒１１ｃが嵌挿されており、該芯棒１１ｃの突出部が、後方側の胴石２の上面に設けられた下底孔２ｃ，２ｃに嵌挿されることにより、背面外柵１９と胴石２との連結が強化されている。
【００３６】
また、図５に示すように、胴石２と納骨室３の側壁１２，１２とは、ボゾ組みによって接合されている。さらに、四方を囲周する胴石２の内側において、各部材の接合部には、耐震用のＬ字金具２０が設けられ、各部材間の連結強化を図っている。
【００３７】
以上のように、本実施形態に係る墓１によると、遺骨を収納するための納骨室３を愛玩動物用の第１納骨室３Ａと人間用の第２納骨室３Ｂとに間仕切り板１１で区分し、かつ、第１納骨室３Ａと外部とを連通する第１納骨口１４Ａと、第２納骨室３Ｂと外部とを連通する第２納骨口１４Ｂとを設けた。これにより、愛玩動物と一緒に埋葬される側面と、愛玩動物とは別に埋葬される側面とを備えることができる。
【００３８】
また、愛玩動物用の第１納骨口１４Ａが、骨壷１６を納骨室３内に搬入し易い部位である胴石２の前面部に形成されているので、人間よりも比較的頻度が高い愛玩動物の納骨作業を容易に行うことができる。
【００３９】
また、第２納骨口３Ｂの入口を既存の構成部材である香炉部９で閉鎖することにより、墓１のコストの軽減を図ることができ、かつ、香炉部９を手前側（図４左側）にスライドさせるだけで第２納骨口３Ｂを開放することができるので、人間の遺骨を納骨する際も、作業を簡易化することができる。
【００４０】
また、愛玩動物用の骨壷１６の底部と嵌合する複数の凹部１７ａが上面に形成された固定板１７を、第１納骨スペース３Ａの底面上に配したことにより、人間用の骨壷よりも軽量であるために転倒し易い愛玩動物用の骨壷１６を安定させることができる。
【００４１】
さらに、本実施形態に係る墓１では、墓石４を芯棒１８によって一体に連結固定する構造や胴石２の内側スペースにおける各部材の接合部にＬ字金具２０も用いる構造により、耐震性の強化が図られているので、愛玩動物を納骨するためのスペース（第１納骨スペース３Ａ）を確保するために、納骨室３を通常のものよりも広くしても、高い耐震性を維持することができる。
【００４２】
以上、本発明の実施形態について具体的に説明してきたが、本発明はこれに限定されるものではなく、その趣旨を逸脱しない範囲で適宜変更可能である。
【図面の簡単な説明】
【００４３】
【図１】本発明の実施形態に係る墓の外観を示す概略斜視図である。
【図２】本実施形態に係る墓の納骨室を示す斜視図である。
【図３】愛玩動物用の石碑の変形例を示す斜視図である。
【図４】本発明の実施形態に係る墓の要部断面図である。
【図５】本実施形態に係る墓の納骨室を示す上面図である。
【図６】図４中のVI−VI線に沿った断面矢視図である。
【図７】（ａ）は、本実施形態に係る墓の墓石の竿台部と上台部の展開図であり、（ｂ）は、その竿台部の下面を示す斜視図である。
【符号の説明】
【００４４】
１      墓
２      胴石
３      納骨室
３Ａ    第１納骨室
３Ｂ    第２納骨室
４      墓石
５      下台部
５ａ    下底孔
６      上台部
６ａ    貫通孔
６ｂ    ホゾ凸部
７      竿台部
７ａ    上底孔
７ｂ    ホゾ凹部
８      香炉部
１１      間仕切り板
１４Ａ    第１納骨口
１４Ｂ    第２納骨口
１５      蓋部材
１６      骨壷（愛玩動物用）
１７      固定板
１７ａ    凹部
１８      芯棒
ｈ      竿台部の高さ
ｄ      竿台部の上底孔の深さ
【図１】
2008025135.tif 000003
【図２】
2008025135.tif 000004
【図３】
2008025135.tif 000005
【図４】
2008025135.tif 000006
【図５】
2008025135.tif 000007
【図６】
2008025135.tif 000008
【図７】
2008025135.tif 000009